(57)【要約】【課題】軸受部における潤滑性能の低下を抑制することを目的とする。【解決手段】過給機１に適用される排気タービン部２は、ディーゼル機関から排出された排ガスによって回転駆動されるタービン動翼３２と、排ガス流れの上流側の一端面である前面３１ａ及び前面３１ａと反対側の面である背面３１ｂを有し、外周部からタービン動翼３２が半径方向外側に突出する円盤状のタービンディスク３１と、一端にタービンディスク３１が連結され、タービンディスク３１によって回転駆動されるタービン軸８と、タービンディスク３１の背面３１ｂ側に配置され、タービン軸８を回転可能に支持する複数の軸受と、各軸受に潤滑油を供給する潤滑油供給流路２１と、を備えている。タービンディスク３１には、前面３１ａから背面３１ｂに貫通する貫通孔３３が設けられている。【選択図】図１
2019167833.tif 000002
【特許請求の範囲】
【請求項１】
内燃機関から排出された排ガスによって回転駆動されるタービン翼と、
前記排ガス流れの上流側の一端面である前面及び該前面の反対側の他端面である背面を有し、外周部から前記タービン翼が半径方向外側に突出する円盤状のタービンディスクと、
一端に前記タービンディスクが連結され、前記タービンディスクによって回転駆動されるタービン軸と、
前記タービンディスクの前記背面側に配置され、前記タービン軸を回転可能に支持する軸受部と、
前記軸受部に潤滑油を供給する潤滑油供給手段と、
前記タービンディスクの前記前面が露出する空間と前記背面が露出する空間とを連通する連通部と、を備えた排気タービン装置。
【請求項２】
前記連通部は、前記前面から前記背面に貫通するように前記タービンディスクに形成された貫通孔を有している請求項１に記載の排気タービン装置。
【請求項３】
前記連通部は、前記タービン翼と前記タービンディスクとの間に形成された隙間を有している請求項１または請求項２に記載の排気タービン装置。
【請求項４】
前記貫通孔は、複数形成されていて、
複数の前記貫通孔は、前記タービン軸を中心とした同心円上に等間隔に配置されている請求項２に記載の排気タービン装置。
【請求項５】
前記タービンディスクの前記背面には、該背面から突出する第１突出部が設けられている請求項１から請求項４のいずれかに記載の排気タービン装置。
【請求項６】
前記タービンディスクの前記前面及び／又は前記背面との間にガス流路を形成する静止部材が設けられている請求項１から請求項５のいずれかに記載の排気タービン装置。
【請求項７】
前記静止部材から前記ガス流路に突出する第２突出部が設けられている請求項６に記載の排気タービン装置。
【請求項８】
前記タービンディスクの前記前面には、該前面から突出する第３突出部が設けられている請求項１から請求項７のいずれかに記載の排気タービン装置。
【請求項９】
請求項１から請求項８のいずれかに記載された排気タービン装置と、
前記タービン軸の他端に設けられた圧縮部と、を備えた過給機。
【発明の詳細な説明】
【技術分野】
【０００１】
本発明は、排気タービン装置及び排気タービン装置を備えた過給機に関するものである。
【背景技術】
【０００２】
内燃機関で発生した排ガスをタービンに導き、タービン翼を回転駆動させることで、タービン軸を回転させる排気タービン装置が知られている。このような装置には、タービン軸を回転可能に支持する軸受が設けられ、当該軸受に潤滑油が供給されるものがある。また、軸受に潤滑油が供給される場合には、軸受に潤滑油を保持させるための構造を備えるものがある（例えば、特許文献１）。
特許文献１では、ブローバイに対するオイル空間の密閉が、中間壁とコンプレッサ・ホイールとの間のラビリンスによって実現されている。
【先行技術文献】
【特許文献】
【０００３】
【特許文献１】特表２０１０−５０１７７２号公報
【発明の概要】
【発明が解決しようとする課題】
【０００４】
ところで、排気タービン装置では、タービン入口側よりも出口側の方が、圧力が低くなる。また、回転するタービンディスクに流体が連れ回る影響で、タービンディスクの外周側よりも内周側（すなわち、タービン軸側）の方が、圧力が低くなる。すなわち、排気タービン装置では、タービン出口側であってタービンディスクの内周側の空間が、最も圧力が低くなる。当該空間の圧力が低くなると、負圧によって軸受から潤滑油が、当該空間に流入し、軸受に潤滑油が保持されなくなり、軸受の潤滑性能が低下する可能性があった。
【０００５】
本発明は、このような事情に鑑みてなされたものであって、軸受部における潤滑性能の低下を抑制する排気タービン装置及び排気タービン装置を備えた過給機を提供することを目的とする。
【課題を解決するための手段】
【０００６】
上記課題を解決するために、本発明の排気タービン装置及び排気タービン装置を備えた過給機は以下の手段を採用する。
本発明の一態様に係る排気タービン装置は、内燃機関から排出された排ガスによって回転駆動されるタービン翼と、前記排ガス流れの上流側の一端面である前面及び該前面の反対側の他端面である背面を有し、外周部から前記タービン翼が半径方向外側に突出する円盤状のタービンディスクと、一端に前記タービンディスクが連結され、前記タービンディスクによって回転駆動されるタービン軸と、前記タービンディスクの前記背面側に配置され、前記タービン軸を回転可能に支持する軸受部と、前記軸受部に潤滑油を供給する潤滑油供給手段と、前記タービンディスクの前記前面が露出する空間と前記背面が露出する空間とを連通する連通部と、を備えている。
【０００７】
排ガスがタービン翼を通過することによって、タービン翼を回転駆動させるため、タービンディスクの背面が露出する空間（以下、「背面側空間」という。）の圧力は、低下する。また、背面側空間内のガスがタービンディスクの回転に連れ回ることで、背面側空間内には旋回流が発生し、この旋回流の影響により、タービンディスクの中心側（すなわちタービン軸側）の圧力は特に低下する。
【０００８】
上記構成では、タービンディスクの前面が露出する空間（以下、前面側空間）という。と背面側空間とを連通する連通部が設けられている。前面側空間は、排ガス流れの上流側の空間であるので、背面側空間よりも圧力が高くなっている。よって、連通部によって前面側空間と背面側空間とが連通すると、前面側空間のガスが、負圧によって背面側空間に流入するので、背面側空間の圧力の低下が抑制される。これにより、軸受部に供給された潤滑油が、負圧によって背面側空間に流入することを抑制することができる。したがって、軸受部に潤滑油が保持され易くなり、軸受部における潤滑性能の低下を抑制することができる。
【０００９】
また、本発明の一態様に係る排気タービン装置は、前記連通部は、前記前面から前記背面に貫通するように前記タービンディスクに形成された貫通孔を有していていてもよい。
【００１０】
上記構成では、タービンディスクに形成された貫通孔によって、前面側空間と背面側空間とを連通している。これにより、タービンディスクに設ける貫通孔の数や大きさ等を変更し、貫通孔の面積を変更することで、前面側空間から流入するガスの量を調整することができる。したがって、排気タービン装置に応じた適切な貫通孔の面積とし、タービン翼を通過せずに背面側空間に流入する排ガス量を最小限にすることができる。よって、排気タービン装置の出力の低下を最小限とすることができる。
【００１１】
また、上流側空間と下流側空間との差圧は、排気タービン装置の大きさ等によって異なるが、上記構成では、貫通孔の面積を排気タービン装置に応じた適切な面積とすることによって、何れの排気タービン装置においても、軸受部に供給された潤滑油が背面側空間に流入することを抑制するとともに、タービン翼を通過せずに背面側空間に流入する排ガス量を最小限にし、排気タービン装置の出力の低下を最小限とすることができる。
また、貫通孔の面積を変更するだけで調整することができるので、簡易に実現することができる。
【００１２】
また、本発明の一態様に係る排気タービン装置は、前記連通部は、前記タービン翼と前記タービンディスクとの間に形成された隙間を有していてもよい。
【００１３】
上記構成では、タービン翼とタービンディスクとの間に形成された隙間によって、前面側空間と背面側空間とを連通している。このように構成することでも、軸受部に供給された潤滑油が、負圧によって背面側空間に流入することを抑制することができるので、軸受部に潤滑油が保持され易くなり、軸受部における潤滑性能の低下を抑制することができる。
【００１４】
また、本発明の一態様に係る排気タービン装置は、前記貫通孔は、複数形成されていて、複数の前記貫通孔は、前記タービン軸を中心とした同心円上に等間隔に配置されていてもよい。
【００１５】
上記構成では、複数の貫通孔が回転軸を中心とした同心円上に等間隔に配置されている。これにより、タービンディスクの重量の偏りが抑制されるので、タービンディスクを安定して回転させることができる。
【００１６】
また、本発明の一態様に係る排気タービン装置は、前記タービンディスクの前記背面には、該背面から突出する第１突出部が設けられていてもよい。
【００１７】
タービンディスクの回転に連れ回ることで、背面側空間内には旋回流が発生する。旋回流が発生すると、背面側空間内において、内周側（すなわちタービン軸側）の圧力が特に低下する。背面側空間内において、タービン軸側の圧力が低下すると、負圧によって、タービン軸と軸受との間から潤滑油が背面側空間内に、より流入し易くなる。
【００１８】
上記構成では、タービンディスクの端面に設けられた第１突出部が、旋回流の流れを阻害する。これにより、背面側空間内において旋回流の発生が抑制されるので、背面側空間の内周側の圧力の低下を抑制することができる。このように、軸受部に近いより背面側空間の内周側の圧力の低下を抑制することで、軸受部に潤滑油が保持され易くなり、軸受部における潤滑性能の低下をより抑制することができる。
【００１９】
また、本発明の一態様に係る排気タービン装置は、前記タービンディスクの前記前面及び／又は前記背面との間にガス流路を形成する静止部材が設けられていてもよい。
【００２０】
上記構成では、タービンディスクの前面及び／又は背面との間にガス流路を形成する静止部材が設けられている。
静止部材によって形成されるガス流路の流路幅（タービンディスクと静止部材との距離）が狭い場合には、前面側空間又は背面側空間で発生する旋回流の速度が速くなるため、前面側空間又は背面側空間において、タービンディスクの端面の外周側と内周側との圧力差が大きくなる。すなわち、外周側では圧力がより高くなり、内周側では圧力がより低くなる。一方、静止部材によって形成されるガス流路の流路幅が広い場合には、前面側空間又は背面側空間内で発生する旋回流の速度が遅くなるため、前面側空間又は背面側空間内において、タービンディスクの端面の外周側と内周側との圧力差が小さくなる。すなわち、外周側での圧力の上昇が比較的小さくなり、内周側での圧力の低下も比較的小さくなる。
【００２１】
このように、静止部材は、ガス流路の流路幅を調整可能である。したがって、静止部材によって、ガス流路の流路幅を調整することによって、前面側空間及び／又は背面側空間内の圧力分布を所望の圧力分布に調整することができる。すなわち、前面側空間及び／又は背面側空間の圧力を調整することができる。
排気タービン装置の最適な貫通孔の面積は、前面側空間と背面側空間との圧力差によって異なる。上記構成では、静止部材によって、前面側空間及び／又は背面側空間の圧力を調整することができる。すなわち、前面側空間と背面側空間との圧力差を所望の圧力差とすることができる。これにより、タービンディスクに形成された貫通孔の面積のバリエーションを少なくしても、静止部材によって前面側空間と背面側空間内との圧力差を調整することで、何れの排気タービン装置であっても、貫通孔の面積を最適な面積とすることができ、タービン翼を通過せずに背面側空間に流入する排ガス量を最小限とすることができる。
【００２２】
また、本発明の一態様に係る排気タービン装置は、前記静止部材から前記ガス流路に突出する第２突出部が設けられていてもよい。
【００２３】
上記構成では、第２突出部によって、前面側空間及び／又は背面側空間に生じる旋回流の流れを阻害することができるので、前面側空間及び／又は背面側空間の内周側の圧力の低下を抑制するとともに、前面側空間及び／又は背面側空間の外周側の圧力の上昇を抑制することとができる。このように、第２突出部を設けることで、前面側空間及び／又は背面側空間における圧力を調整することができる。これにより、静止部材だけでなく、第２突出部によっても前面側空間及び／又は背面側空間における圧力を調整することができるので、より精密に、前面側空間と背面側空間との圧力差を所望の圧力差とすることができる。したがって、タービンディスクに形成された貫通孔の面積のバリエーションを少なくしても、何れの排気タービン装置であっても、貫通孔の面積を最適な面積とすることができる。
【００２４】
また、本発明の一態様に係る排気タービン装置は、前記タービンディスクの前記前面には、該前面から突出する第３突出部が設けられていてもよい。
【００２５】
上記構成では、第３突出部を設けることで、前面側空間内に生じる旋回流の流れを阻害することができるので、背面側空間の内周側の圧力の低下を抑制するとともに、背面側空間の外周側の圧力の上昇を抑制することとができる。このように、第３突出部を設けることで、前面側空間における圧力を調整することができる。前面側空間の圧力を調整することで、前面側空間と背面側空間との圧力差を所望の圧力差とすることができるので、タービンディスクに形成された貫通孔の面積のバリエーションを少なくしても、何れの排気タービン装置であっても、貫通孔の面積を最適な面積とすることができる。
【００２６】
本発明の一態様に係る過給機は、上記いずれかに記載の排気タービン装置と、前記タービン軸の他端に設けられた圧縮部と、を備える。
【００２７】
上記構成では、軸受部に潤滑油が保持され易くなり、軸受部における潤滑性能の低下を抑制することが可能な過給機を実現することができる。
【発明の効果】
【００２８】
本発明によれば、軸受部における潤滑性能の低下を抑制することができる。
【図面の簡単な説明】
【００２９】
【図１】本発明の排気タービン装置を用いた一実施形態である過給機の要部を示した縦断面図である。
【図２】図１の過給機のタービン翼及びタービンディスクの要部拡大図である。
【図３】本発明の第２実施形態に係る過給機のタービン翼及びタービンディスクの縦断面図である。
【図４】図３のタービンディスクの模式的な正面図である。
【図５】本発明の第３実施形態に係る過給機の要部を示した縦断面図である。
【図６】図１の変形例に係る過給機の要部を示した縦断面図である。
【図７】図１の変形例に係る過給機の要部を示した縦断面図である。
【図８】図１の変形例に係る過給機の要部を示した縦断面図である。
【図９】図１の変形例に係る過給機の要部を示した縦断面図である。
【発明を実施するための形態】
【００３０】
以下に、本発明に係る排気タービン装置及び排気タービン装置を備えた過給機の一実施形態について、図面を参照して説明する。
以下、本発明の第１実施形態について、図１及び図２を用いて説明する。
［第１実施形態］
図１には、本発明の排気タービン装置を過給機１に適用した実施形態が示されている。過給機１は、例えば、船舶の主機であるディーゼル機関（内燃機関）や、自動車等の車両のディーゼル機関（内燃機関）に用いられ、ディーゼル機関からの排ガスによって得られた駆動力で空気を圧縮してディーゼル機関の燃焼室に圧縮空気を供給するものである。本実施形態の過給機１は、ディーゼル機関からの排ガスの運動エネルギーを主に用いる動圧式とされる。
【００３１】
過給機１は、排気タービン装置としての排気タービン部２と、吸入した空気を圧縮するコンプレッサ部（圧縮部）３とを備えている。
コンプレッサ部３は、外部から空気を取り入れる空気吸入口（図示省略）と、取り入れた空気を導入する空気導入路４と、空気導入路４から導かれた空気を圧縮するコンプレッサ羽根車５と、コンプレッサ羽根車５の下流側に配置された渦巻き室６と、コンプレッサ羽根車５を収容するとともに空気導入路４を形成する空気案内ケーシング７とを備えている。
コンプレッサ羽根車５は、遠心圧縮機の羽根車とされており、外周に複数のコンプレッサ動翼５ａが取り付けられている。コンプレッサ羽根車５は、中心軸線Ｌ回りに回転する後述するタービン軸８の一端（図１において左端）に固定されている。
【００３２】
コンプレッサ羽根車５の背面５ｂ（空気導入路４に面していない側の面）側には、背面５ｂと対向する部分に、複数の溝からなるシール部９が設けられている。シール部９は、渦巻き室６へと導かれる圧縮された空気の、コンプレッサ羽根車５の背面５ｂ側の空間への漏えいを抑制している。
【００３３】
排気タービン部２は、ディーゼル機関からの排ガスを取り入れる排ガス入口ケーシング１１と、排ガス入口ケーシング１１の下流側に配置された排気タービンノズル１２と、この排気タービンノズル１２の下流側に配置された排気タービン羽根車１３と、排ガスを排出するための排ガス出口ケーシング１４と、排気タービン羽根車１３とコンプレッサ羽根車５とを連結するタービン軸８と、を備えている。
【００３４】
タービン軸８は、他端（図１において右端）に、排気タービン羽根車１３が固定されている。また、タービン軸８は、軸受台１５の内部に形成された空間に配置されるスラスト軸受１６によってスラスト方向が支持されているとともに、２つのラジアル軸受（第１ラジアル軸受１７及び第２ラジアル軸受１８）によって回転自由に支持されている。３つの軸受は、コンプレッサ羽根車５の背面５ｂ側からスラスト軸受１６、第１ラジアル軸受（軸受部）１７、第２ラジアル軸受（軸受部）１８の順番で配置されている。すなわち、第２ラジアル軸受１８は、排気タービン羽根車１３の近傍に配置される。
【００３５】
また、軸受台１５の内部には、潤滑油供給装置（潤滑油供給手段）１９が設けられている。潤滑油供給装置１９は、潤滑油を貯留する潤滑油タンク２０と、潤滑油タンク２０に貯留されている潤滑油をスラスト軸受１６、第１ラジアル軸受１７及び第２ラジアル軸受１８に供給する潤滑油供給流路２１とを有する。
潤滑油タンク２０は、軸受台１５の内部に設けられ、タービン軸８の回転方向外側に配置されるとともに、コンプレッサ羽根車５の背面５ｂ近傍に配置されている。
潤滑油供給流路２１は、一端が潤滑油タンク２０に接続され、他端が分岐してスラスト軸受１６、第１ラジアル軸受１７及び第２ラジアル軸受１８に接続されている。潤滑油供給流路２１によって供給された潤滑油は、スラスト軸受１６、第１ラジアル軸受１７及び第２ラジアル軸受１８で保持され、スラスト軸受１６、第１ラジアル軸受１７及び第２ラジアル軸受１８とタービン軸８との支持部分を潤滑する。
【００３６】
軸受台１５に対しては、空気案内ケーシング７が、ボルト２５等によって固定されている。また、軸受台１５に対して、排ガス出口ケーシング１４が、ボルト２６等によって固定されている。これにより、各軸受が配置される軸受台１５の内部の空間には、コンプレッサ羽根車５の背面５ｂが露出するとともに、後述する排気タービン羽根車１３のタービンディスク３１の背面３１ｂが露出している。
また、排ガス入口ケーシング１１は、排ガス出口ケーシング１４に対してボルト２７等によって固定されている。
【００３７】
排気タービン羽根車１３は、中心軸線Ｌ回りに回転可能とされた軸流タービンの羽根車とされている。排気タービン羽根車１３は、タービン軸８に連結される略円盤状のタービンディスク３１と、タービンディスク３１の外周部から半径方向外側に突出するタービン動翼（タービン翼）３２とを有する。なお、排気タービン羽根車１３は、軸流式に限定されるものではなく、遠心式としてもよい。
【００３８】
タービン動翼３２は、タービンディスク３１の外周部の全周に亘り所定間隔を有して複数設けられており、これらタービン動翼３２によって排気タービン動翼群が構成されている。タービン動翼３２は、図２に示すように、径方向に延在する翼体３２ａと、翼体３２ａに直交するように設けられて翼体３２ａの一端部が固定されるプラットフォーム３２ｂと、プラットフォーム３２ｂの一端から径方向に延在する動翼基部３２ｃと、を有する。プラットフォーム３２ｂと動翼基部３２ｃとは、鋳造等によって一体的に形成されている。動翼基部３２ｃは、側面に複数の凹凸を有するいわゆるクリスマスツリー形状に形成される。
【００３９】
タービンディスク３１は、排ガス流れの上流側の一端面である前面３１ａ及び前面３１ａの反対側の他端面である背面３１ｂを有する。また、タービンディスク３１の外周部には、嵌合溝３１ｃが形成されている。嵌合溝３１ｃは、タービンディスク３１の外周縁から半径方向内側に延びており、タービンディスク３１の外周の全域に亘って所定間隔を有して複数形成されている。嵌合溝３１ｃは、延在方向の側縁に複数の凹凸が形成されている。タービンディスク３１と、タービン動翼３２とは、動翼基部３２ｃが、嵌合溝３１ｃと嵌合することにより、連結されている。なお、タービンディスク３１と、タービン動翼３２とが嵌合した状態において、タービンディスク３１の外周端部と、プラットフォーム３２ｂの内周端部との間には所定の長さの隙間Ｇが形成されている。
【００４０】
また、タービンディスク３１には、図１に示すように、前面３１ａから背面３１ｂに貫通する貫通孔（連通部）３３が複数（本実施形態では２つ）形成されている。貫通孔３３は、嵌合溝３１ｃの半径方向内側端部よりも内側に形成される。また、２つの貫通孔３３は、中心軸線Ｌを中心とした同心円上に等間隔に配置されているとともに、中心軸線Ｌに基づいた点対称の位置に配置されている（図４も参照）。
なお、貫通孔３３の直径、貫通孔３３の個数、及び、貫通孔３３を設ける位置等は、タービン動翼３２の上流側の圧力と下流側の圧力との比（すなわち、タービンディスク３１の前面３１ａが露出する空間と、背面３１ｂが露出する空間との圧力比）に基づいて設定される。ただし、貫通孔３３の直径は、１ｍｍ以上が好適である。
【００４１】
排気タービンノズル１２は、タービン動翼３２の上流側に配置された静翼とされており、中心軸線Ｌを中心とした円周上に全周にわたって所定間隔を有して固定されている。これら排気タービンノズル１２によって排気タービンノズル群が構成されている。
【００４２】
上記構成の過給機１は、以下のように動作する。
ディーゼル機関から排出される排ガスは、排ガス入口ケーシング１１に形成されたガス導入路Ｆを流通し、排気タービンノズル１２を通過する。排気タービンノズル１２を通過した排ガスは、タービン動翼３２に導かれる。タービン動翼３２は、排気ガスの流体エネルギーを得て排気タービン羽根車１３を回転させる。タービン動翼３２を通過した排気ガスは、排ガス出口ケーシング１４を通り、過給機１の外部へと排出される。
【００４３】
排ガスによって駆動された排気タービン羽根車１３の回転力は、タービン軸８を介してコンプレッサ羽根車５へと伝達され、コンプレッサ羽根車５を中心軸線Ｌ回りに回転させる。これにより、空気吸入口から吸い込まれた空気がコンプレッサ動翼５ａによって圧縮され、圧縮された空気は、渦巻き室６を通りディーゼル機関の燃焼空間へと送られ、燃焼用空気として用いられる。
【００４４】
本実施形態によれば、以下の作用効果を奏する。
排ガスがタービン動翼３２を通過し、タービン動翼３２を回転駆動させるため、タービンディスク３１の背面３１ｂが露出する空間（以下、「背面側空間」という。）の圧力は、低下する。また、背面側空間内のガスがタービンディスク３１の回転に連れ回ることで、背面側空間内には旋回流が発生し、この旋回流の影響により、タービンディスク３１の中心側（すなわちタービン軸８側）の圧力は特に低下する。
【００４５】
本実施形態では、タービンディスク３１に前面３１ａから背面３１ｂに貫通する貫通孔３３が設けられている。これにより、排ガス流れにおけるタービンディスク３１の前面３１ａが露出する空間（以下、「前面側空間」という）と、背面側空間とが、貫通孔３３によって連通する。前面側空間は、排ガス流れの上流側の空間であるので、背面側空間よりも圧力が高くなっている。よって、貫通孔３３によって前面側空間と背面側空間とが連通すると、前面側空間のガスが、負圧によって背面側空間に流入するので、背面側空間の圧力の低下が抑制される。
これにより、各軸受（スラスト軸受１６、第１ラジアル軸受１７及び第２ラジアル軸受１８）に供給された潤滑油が、負圧によって背面側空間に流入することを抑制することができる。したがって、各軸受に潤滑油が保持され易くなり、各軸受における潤滑性能の低下を抑制することができる。
【００４６】
また、タービンディスク３１に設ける貫通孔３３の数や大きさを変更し、貫通孔３３の総面積を変更することで、前面側空間から流入する排ガスの量を調整することができる。これにより、排気タービン部２を構成する際に、貫通孔３３の面積を排気タービン部２に応じた適切な貫通孔３３の面積とすることで、タービン動翼３２を通過せずに背面側空間に流入する排ガス（すなわち、仕事を行わない排ガス）量を最小限にすることができる。したがって、排気タービン部２における出力の低下を最小限とすることができる。
【００４７】
また、前面側空間と背面側空間との圧力比は、過給機１に設けられる排気タービン部２毎に異なる。なぜならば、排気タービンノズル１２及びタービン動翼３２の組み合わせによって、タービン動翼３２の入口（上流側）と出口（下流側）との圧力比が決まるが、一般的に、過給機１の排気タービン部２は、要求される性能に合わせて、排ガス流量や反動度の調整するために、排気タービンノズル１２及びタービン動翼３２の組み合わせを選定するからである。このように、過給機１毎に排気タービンノズル１２及びタービン動翼３２の組み合わせが異なるため、前面側空間と背面側空間との圧力比が異なることとなる。
本実施形態では、貫通孔３３の総面積を調整することで、前面側空間から流入する排ガスの量を調整することができる。したがって、貫通孔３３の総面積を過給機１に応じた適切な面積とすることで、何れの過給機においても、背面側空間の圧力を適切に保ち、各軸受に供給された潤滑油が背面側空間に流入することを抑制するとともに、タービン動翼３２を通過せずに背面側空間に流入する排ガス量を最小限にし、排気タービン部２における出力の低下を最小限とすることができる。
【００４８】
また、複数の貫通孔３３が中心軸線Ｌを中心とした同心円上に等間隔に配置されている。これにより、タービンディスク３１の重量の偏りが抑制されるので、タービンディスク３１を安定して回転させることができる。
また、貫通孔３３を嵌合溝３１ｃの半径方向内側端部よりも内側に形成される。嵌合溝３１ｃが形成される外周部は、嵌合溝３１ｃが形成されていることから、比較的強度が低くなっている。一方、嵌合溝３１ｃの半径方向内側端部よりも内側の中央領域は、略円盤形状であり強度が高い。したがって、貫通孔３３を形成しても、タービンディスク３１の強度の低下を抑制することができる。
【００４９】
なお、背面側空間の圧力の低下が抑制するために、貫通孔３３の代わりに、タービンディスク３１の外周端部と、プラットフォーム３２ｂの内周端部との間に形成された隙間Ｇを大きく形成することも考えられる。すなわち、隙間Ｇを、前面側空間と背面側空間とを連通する連通部とするとともに、前面側空間と背面側空間とを均圧化することができる程度の大きさに形成することも考えられる。このような構成においても、隙間Ｇを介して前面側空間と背面側空間とを連通することができ、隙間Ｇから前面側空間の排ガスを背面側空間に流入させる。したがって、背面側空間の圧力低下を抑制し、各軸受に供給された潤滑油が、負圧によって背面側空間に流入することを抑制することができる。
ただし、隙間Ｇの形状を変更するためには、動翼基部３２ｃの形状の変更が必要となる。動翼基部３２ｃは、複雑な形状であるとともに、嵌合溝３１ｃと嵌合させることを目的としたものであり、形成に際し高い精度が求められる。このため、動翼基部３２ｃは、設計変更等を容易に行うことができない。したがって、このような構成では、隙間Ｇの面積を容易に変更することができず、隙間Ｇを排気タービン部２に応じた最適な面積とすることができない可能性がある。
一方、貫通孔３３を連通部とする構成では、円盤状のタービンディスク３１に貫通孔３３を形成するという比較的単純な構成なので、形成する貫通孔３３の数や大きさ等を変更させるだけで、貫通孔３３の総面積を容易に所望の面積とすることができる。したがって、容易に排気タービン部２に応じた最適な面積とすることができる。
なお、貫通孔３３を設けるとともに、隙間Ｇを大きく形成してもよい。すなわち、貫通孔３３と隙間Ｇとによって、前面側空間のガスを背面側空間に流入させて、背面側空間の圧力の低下を抑制してもよい。
【００５０】
［第２実施形態］
次に、本発明の第２実施形態について図３及び図４を用いて説明する。
本実施形態では、タービンディスク３１の背面３１ｂに突出部（第１突出部）３７が設けられている点で、第１実施形態と異なる。第１実施形態と同一の構成については、同一の符号を付し、その詳細な説明は省略する。
【００５１】
本実施形態に係る過給機では、排気タービン部２のタービンディスク３１の背面３１ｂに、背面３１ｂから突出する突出部３７が設けられている。突出部３７は、図３及び図４に示すように、略半円の板状部材であって、径方向の長さがタービンディスク３１の径方向の長さに対して、所定の割合以上（例えば、５０％以上）に亘って設けられている。また、突出部３７は、複数（本実施形態では２つ）設けられている。複数の突出部３７は、図４に示すように、中心軸線Ｌを中心とした同心円上に等間隔に配置されているとともに、中心軸線Ｌに基づいた点対称の位置に配置されている。なお、突出部３７の数は２つに限定されない。突出部３７の数は、単数であってもよく、また３つ以上であってもよい。なお、図４では図示の関係上、嵌合溝３１ｃを省略して図示している。
【００５２】
本実施形態では、以下の作用効果を奏する。
タービンディスク３１の回転に連れ回ることで、背面側空間内には旋回流が発生する。旋回流が発生すると、背面側空間内において、内周側（すなわちタービン軸８側）の圧力が特に低下する。背面側空間内において、タービン軸８側の圧力が低下すると、負圧によって、タービン軸８と各軸受（スラスト軸受１６、第１ラジアル軸受１７及び第２ラジアル軸受１８）との間から潤滑油が背面側空間内に、より流入し易くなる。
本実施形態では、タービンディスク３１の背面３１ｂに設けられた突出部３７が、旋回流の流れを阻害する。これにより、背面側空間内において旋回流の発生が抑制されるので、背面側空間の内周側の圧力の低下を抑制することができる。したがって、より各軸受に潤滑油が保持され易くなり、軸受部における潤滑性能の低下をより抑制することができる。
【００５３】
［第３実施形態］
次に、本発明の第３実施形態について図５を用いて説明する。
本実施形態では、タービンディスク３１の前面３１ａとの間にガス流路Ａを形成する静止部材３８が設けられている点で、第１実施形態と異なる。第１実施形態と同一の構成については、同一の符号を付し、その詳細な説明は省略する。
【００５４】
本実施形態に係る過給機では、上述のように、タービンディスク３１の前面３１ａとの間にガス流路Ａを形成する静止部材３８が設けられている。静止部材３８は、タービンディスク３１の前面３１ａと所定の距離離間するように対向して設けられ、静止部材３８とタービンディスク３１の前面３１ａとの間の空間がガス流路Ａとなる。静止部材３８は、タービンディスク３１の前面３１ａの全域と対向するように設けてもよく、また、前面３１ａの一部と対向するように設けてもよい。
【００５５】
本実施形態では、以下の作用効果を奏する。
本実施形態では、タービンディスク３１の前面３１ａとの間にガス流路Ａを形成する静止部材３８が設けられている。
静止部材３８によって形成されるガス流路Ａの流路幅（タービンディスク３１と静止部材３８との距離）が狭い場合には、前面側空間又は背面側空間で発生する旋回流の速度が速くなる。このため、前面側空間又は背面側空間において、タービンディスク３１の前面３１ａの外周側と内周側との圧力差が大きくなる。すなわち、外周側では圧力がより高くなり、内周側では圧力がより低くなる。一方、静止部材３８によって形成されるガス流路Ａの流路幅が広い場合には、前面側空間で発生する旋回流の速度が遅くなるため、前面側空間において、タービンディスク３１の前面３１ａの外周側と内周側との圧力差が小さくなる。すなわち、外周側での圧力の上昇が比較的小さくなり、内周側での圧力の低下も比較的小さくなる。
【００５６】
このように、静止部材３８は、ガス流路Ａの流路幅を調整可能である。したがって、静止部材３８によって、ガス流路Ａの流路幅を調整することによって、前面側空間の圧力分布を所望の圧力分布に調整し、前面側空間の圧力を調整することができる。
上述のように、排気タービン部２における最適な貫通孔３３の面積は、前面側空間と背面側空間との圧力差によって異なる。本実施形態では、静止部材３８によって、前面側空間の圧力を調整することができる。すなわち、前面側空間と背面側空間との圧力比を調整することができる。これにより、タービンディスク３１に形成された貫通孔３３の面積のバリエーションを少なくしても、静止部材３８によって前面側空間の圧力を調整することで、何れの過給機であっても、タービン動翼３２を通過せずに背面側空間に流入する排ガス量を最小限とすることができる。また、タービンディスク３１に形成された貫通孔３３の面積のバリエーションを少なくした場合には、過給機に応じてタービンディスク３１を形成する場合と比較して、タービンディスク３１を容易かつ安価に製造することができる。
【００５７】
なお、静止部材３８は、タービンディスク３１の前面３１ａが露出する流路を形成できればよく、形状等は限定されない。前面側空間を埋める詰め物等をして流路を形成してもよいし、前面３１ａと対向する板状の部材を設けて流路を形成してもよい。
【００５８】
なお、本実施形態では、タービンディスク３１の前面３１ａ側に静止部材３８を設ける例について説明したが、本発明はこれに限定されない。例えば、タービンディスク３１の背面３１ｂとの間にガス流路を形成するように静止部材を設けてもよい。このような構成とすることでも、背面側空間の圧力を調整することができるので、前面側空間と背面側空間との圧力比を調整することができる。
また、タービンディスク３１の前面３１ａ及び背面３１ｂの両方との間にガス流路を形成するように静止部材を複数設けてもよい。このような構成とすることで、前面側空間と背面側空間との圧力比をより細かく調整することができる。
【００５９】
また、本実施形態では、前面側空間の圧力を調整する構造として、静止部材３８を設ける例について説明したが、本発明はこれに限定されない。また、前面側空間の圧力を調整する構造として、例えば、タービンディスク３１の前面３１ａに、前面３１ａから突出する突出部（第３突出部）４２を設けてもよい（図７参照）。前面３１ａに突出部４２を設けることで、上述のように前面側空間内に生じる旋回流の流れを阻害することができるので、前面側空間内の圧力を調整することができる。
【００６０】
なお、本発明は、上記各実施形態にかかる発明に限定されるものではなく、その要旨を逸脱しない範囲において、適宜変形が可能である。
【００６１】
例えば、図６及び図７に示すように、第２実施形態と第３実施形態とを組み合わせてもよい。すなわち、突出部及び静止部材の両方を設けてもよい。以下で、突出部及び静止部材の両方を設けた例について説明する。
【００６２】
図６に示す構成では、タービンディスク３１の背面３１ｂ側に突出部４０を設けるとともに、タービンディスク３１の背面３１ｂとの間にガス流路を形成する静止部材４１を設けている。タービンディスク３１と対向する静止部材４１の面（以下、「対向面」という。）は、突出部４０と干渉しないように、突出部４０に沿うように凹んでいる。
また、図７で示す構成では、タービンディスク３１の前面３１ａ側に突出部４２を設けるとともに、タービンディスク３１の前面３１ａとの間にガス流路を形成する静止部材４３を設けてもよい。静止部材４３の対向面は、突出部４２と干渉しないように、突出部４２に沿うように形成されている。
このように、突出部及び静止部材の両方を設けることで、前面側空間または背面側空間の圧力を、より精密に調整することができる。
【００６３】
また、図８及び図９に示すように、静止部材に突出部（第２突出部）４５、４７を設けてもよい。静止部材に設けられる突出部４５，４７は、静止部材の対向面に固定されていて、静止部材の対向面からガス流路に突出するように設けられている。以下で、静止部材に突出部が設けられる例について説明する。
図８に示す構成では、タービンディスク３１の背面３１ｂとの間にガス流路を形成する静止部材４４を設けている。また、当該静止部材４４の対向面には、ガス流路に突出するように突出部４５を設けられている。
また、図９に示す構成では、タービンディスク３１の前面３１ａとの間にガス流路を形成する静止部材４６を設けている。また、当該静止部材４６の対向面には、ガス流路に突出するように突出部４７を設けられている。
静止部材に設けられる突出部も、タービンディスクに設けられる突出部と同様に、複数設けられてもよく、複数設けられる場合には、同心円上に等間隔に配置されてもよい。
静止部材は、回転しないため、このように突出部を静止部材に設けることで、より旋回流の流れを阻害することができる。
【００６４】
また、上記各実施形態では、貫通孔３３を２つ設ける例について説明したが、本発明はこれに限定されない。貫通孔３３の数は単数であってもよく、また３つ以上であってもよい。
【００６５】
また、上記各実施形態では、排気タービン部２を過給機に適用する例について説明したが、本発明はこれに限定されない。例えば、排気タービン部２をパワータービンに適用してもよい。
【００６６】
また、上記各実施形態では、タービンディスク３１とタービン動翼３２とを、各々別体とし、タービンディスク３１とタービン動翼３２とを嵌合させている例について説明したが、本発明はこれに限定されない。タービンディスク３１とタービン動翼３２とを一体的に成型した一体構造としてもよい。
【符号の説明】
【００６７】
１      過給機
２      排気タービン部（排気タービン装置）
３      コンプレッサ部（圧縮部）
４      空気導入路
５      コンプレッサ羽根車
６      渦巻き室
７      空気案内ケーシング
８      タービン軸
９      シール部
１１    排ガス入口ケーシング
１２    排気タービンノズル
１３    排気タービン羽根車
１４    排ガス出口ケーシング
１５    軸受台
１６    スラスト軸受
１７    第１ラジアル軸受（軸受部）
１８    第２ラジアル軸受（軸受部）
１９    潤滑油供給装置（潤滑油供給手段）
２０    潤滑油タンク
２１    潤滑油供給流路
３１    タービンディスク
３１ａ  前面
３１ｂ  背面
３１ｃ  嵌合溝
３２    タービン動翼（タービン翼）
３２ａ  翼体
３２ｂ  プラットフォーム
３２ｃ  動翼基部
３３    貫通孔
３７    突出部（第１突出部）
３８    静止部材
４２    突出部（第３突出部）
４５    突出部（第２突出部）
４７    突出部（第２突出部）
【図１】
2019167833.tif 000003
【図２】
2019167833.tif 000004
【図３】
2019167833.tif 000005
【図４】
2019167833.tif 000006
【図５】
2019167833.tif 000007
【図６】
2019167833.tif 000008
【図７】
2019167833.tif 000009
【図８】
2019167833.tif 000010
【図９】
2019167833.tif 000011